(57)【要約】【課題】光源部の光束維持率が低下するのを抑制することが可能な照明装置を提供する。【解決手段】照明装置１０は、少なくとも１個の固体発光素子４を有する光源部１と、光源部１への出力電力により光源部１を点灯可能な点灯装置２と、点灯装置２を制御する制御部３とを備えている。制御部３は、光源部１の累積点灯時間に従って点灯装置２の出力電力を減少させる。【選択図】図１
2014078419.tif 000002
【特許請求の範囲】
【請求項１】
少なくとも１個の固体発光素子を有する光源部と、前記光源部への出力電力により前記光源部を点灯可能な点灯装置と、前記点灯装置を制御する制御部とを備え、前記制御部は、前記光源部の累積点灯時間に従って前記点灯装置の前記出力電力を減少させることを特徴とする照明装置。
【請求項２】
前記制御部は、前記光源部の点灯初期において前記点灯装置の前記出力電力が、前記光源部の定格電力以上であることを特徴とする請求項１記載の照明装置。
【請求項３】
前記制御部は、前記光源部の前記累積点灯時間が予め設定された第１規定時間を経過したとき、前記点灯装置の前記出力電力が一定の電力となるように前記点灯装置を制御することを特徴とする請求項１または請求項２記載の照明装置。
【請求項４】
前記制御部は、前記光源部の前記累積点灯時間が前記第１規定時間を経過した後に、前記光源部の前記累積点灯時間が予め設定された第２規定時間を経過したとき、前記点灯装置の前記出力電力が前記一定の電力から所定の電力まで低下するように前記点灯装置を制御することを特徴とする請求項３記載の照明装置。
【請求項５】
前記制御部は、前記点灯装置を制御するための制御信号を出力可能であり、前記光源部の前記累積点灯時間に従って前記制御信号を出力することを特徴とする請求項１ないし請求項４のいずれか１項に記載の照明装置。
【請求項６】
前記制御信号がＰＷＭ信号であり、前記制御部には、前記光源部の前記累積点灯時間と前記制御信号のデューティ比とが対応付けられたデータテーブルが予め記憶されており、前記制御部は、前記データテーブルに従って、前記光源部の前記累積点灯時間に対応する前記デューティ比を有する前記制御信号を出力することを特徴とする請求項５記載の照明装置。
【請求項７】
前記固体発光素子は、発光ダイオードであることを特徴とする請求項１ないし請求項６のいずれか１項に記載の照明装置。
【発明の詳細な説明】
【技術分野】
【０００１】
本発明は、照明装置に関するものである。
【背景技術】
【０００２】
近年、照明用の光源として、発光ダイオード（以下、ＬＥＤ）が用いられている。ＬＥＤは、一般的に、白熱灯や蛍光灯に比べて、長寿命であるという利点がある。
【０００３】
また、従来から、光源としてＬＥＤを用いた照明装置が提案されている（例えば、特許文献１）。
【０００４】
特許文献１に開示された照明装置は、図１２に示すように、ＬＥＤ５１ａを有する光源部５１と、電源部５２と、制御部５３とを備えている。ＬＥＤ５１ａは、ＬＥＤチップ（図示せず）を有している。なお、特許文献１には、樹脂反射板により形成された円錐台状の凹部（図示せず）内に、ＬＥＤチップおよび蛍光体含有樹脂層（図示せず）が設けられている旨が記載されている。
【０００５】
上述の照明装置では、光源部５１の使用開始後に、制御部５３からの信号に基づいて電源部５２から比較的低い投入電力が光源部５１に印加される。また、上述の照明装置では、光源部５１の使用時間の経過に伴い、制御部５３からの信号に基づいて徐々に増大した投入電力が光源部５１に印加される。
【先行技術文献】
【特許文献】
【０００６】
【特許文献１】特開２００８−４１６５０号公報
【発明の概要】
【発明が解決しようとする課題】
【０００７】
上述の照明装置では、光源部５１の使用時間の経過に伴って電源部５２からの投入電力を増加させるため、光源部５１が劣化する可能性がある。本願発明者らは、上述の照明装置において、光源部５１の使用時間の経過に伴って電源部５２からの投入電力を増加させると、例えば、ＬＥＤ５１ａにおける上記樹脂反射板や上記蛍光体含有樹脂層が劣化する可能性があると考えた。
【０００８】
また、上述の照明装置では、光源部５１の使用時間の経過に伴って光源部５１が劣化すると、光源部５１の光束維持率が低下する可能性がある。
【０００９】
本発明は上記事由に鑑みて為されたものであり、その目的は、光源部の光束維持率が低下するのを抑制することが可能な照明装置を提供することにある。
【課題を解決するための手段】
【００１０】
本発明の照明装置は、少なくとも１個の固体発光素子を有する光源部と、前記光源部への出力電力により前記光源部を点灯可能な点灯装置と、前記点灯装置を制御する制御部とを備え、前記制御部は、前記光源部の累積点灯時間に従って前記点灯装置の前記出力電力を減少させることを特徴とする。
【００１１】
この照明装置において、前記制御部は、前記光源部の点灯初期において前記点灯装置の前記出力電力が、前記光源部の定格電力以上であることが好ましい。
【００１２】
この照明装置において、前記制御部は、前記光源部の前記累積点灯時間が予め設定された第１規定時間を経過したとき、前記点灯装置の前記出力電力が一定の電力となるように前記点灯装置を制御することが好ましい。
【００１３】
この照明装置において、前記制御部は、前記光源部の前記累積点灯時間が前記第１規定時間を経過した後に、前記光源部の前記累積点灯時間が予め設定された第２規定時間を経過したとき、前記点灯装置の前記出力電力が前記一定の電力から所定の電力まで低下するように前記点灯装置を制御することが好ましい。
【００１４】
この照明装置において、前記制御部は、前記点灯装置を制御するための制御信号を出力可能であり、前記光源部の前記累積点灯時間に従って前記制御信号を出力することが好ましい。
【００１５】
この照明装置において、前記制御信号がＰＷＭ信号であり、前記制御部には、前記光源部の前記累積点灯時間と前記制御信号のデューティ比とが対応付けられたデータテーブルが予め記憶されており、前記制御部は、前記データテーブルに従って、前記光源部の前記累積点灯時間に対応する前記デューティ比を有する前記制御信号を出力することが好ましい。
【００１６】
この照明装置において、前記固体発光素子は、発光ダイオードであることが好ましい。
【発明の効果】
【００１７】
本発明の照明装置においては、光源部の光束維持率が低下するのを抑制することが可能となる。
【図面の簡単な説明】
【００１８】
【図１】実施形態１の照明装置の概略構成図である。
【図２】実施形態１の照明装置に関し、光源部の累積点灯時間と点灯装置の出力電圧との相関図である。
【図３】実施形態１の照明装置に関し、光源部の累積点灯時間と光源部の光束維持率との相関図である。
【図４】実施形態１の照明装置に関し、光源部の累積点灯時間と点灯装置の出力電力との相関図である。
【図５】実施形態２の照明装置の概略構成図である。
【図６】実施形態２の照明装置に関し、光源部の累積点灯時間と点灯装置の出力電力との相関図である。
【図７】実施形態２の照明装置に関し、光源部の累積点灯時間と点灯装置の出力電力との他の相関図である。
【図８】実施形態２の照明装置に関し、光源部の累積点灯時間と点灯装置の出力電力とのさらに他の相関図である。
【図９】実施形態２の照明装置に関し、光源部の累積点灯時間と点灯装置の出力電力との別の相関図である。
【図１０】実施形態２の照明装置に関し、光源部の累積点灯時間と点灯装置の出力電力とのさらに別の相関図である。
【図１１】実施形態２の照明装置に関し、光源部の累積点灯時間と点灯装置の出力電力と他の相関図である。
【図１２】従来例の照明装置の概略構成図である。
【発明を実施するための形態】
【００１９】
（実施形態１）
以下、本実施形態の照明装置について、図１を参照しながら説明する。
【００２０】
本実施形態の照明装置１０は、光源部１と、光源部１への出力電力により光源部１を点灯可能な点灯装置２と、点灯装置２を制御する制御部３とを備えている。
【００２１】
光源部１は、複数個の固体発光素子４を有している。本実施形態では、固体発光素子４として、発光ダイオード（以下、ＬＥＤ）を用いている。また、本実施形態では、これら複数個の固体発光素子４の接続関係を、直列接続としているが、これに限らず、例えば、並列接続であってもよいし、直列接続と並列接続とを組み合わせた接続であってもよい。なお、本実施形態では、固体発光素子４の個数を複数個としているが、１個であってもよい。
【００２２】
点灯装置２の一対の入力端子２ａ，２ｂには、商用電源ＡＣが接続されている。また、点灯装置２の一対の出力端子２ｃ，２ｄには、光源部１が接続されている。なお、本実施形態では、点灯装置２の一対の入力端子２ａ，２ｂと商用電源ＡＣとの間の給電路に、商用電源ＡＣから点灯装置２へ給電可能なスイッチ（図示せず）が設けられている。
【００２３】
点灯装置２は、商用電源ＡＣを電源として直流電圧を出力する直流電源部５と、直流電源部５からの直流電圧を所定電圧に降圧する降圧チョッパ回路６とを備えている。
【００２４】
直流電源部５は、商用電源ＡＣからの交流電圧を全波整流する整流器７と、整流器７により全波整流された電圧を平滑する平滑用のコンデンサＣ１とを有している。
【００２５】
整流器７としては、例えば、ダイオードブリッジなどを採用することができる。
【００２６】
整流器７の一対の入力端は、点灯装置２の一対の入力端子２ａ，２ｂに接続されている。整流器７の一対の出力端における一方の出力端は、平滑用のコンデンサＣ１の高電位側に接続されている。整流器７の一対の出力端における他方の出力端は、平滑用のコンデンサＣ１の低電位側に接続されている。平滑用のコンデンサＣ１の低電位側は、接地されている。
【００２７】
降圧チョッパ回路６は、スイッチング素子Ｑ１と、インダクタＬ１と、ダイオードＤ１と、コンデンサＣ２と、スイッチング素子Ｑ１を駆動する駆動回路８とを有している。
【００２８】
スイッチング素子Ｑ１としては、例えば、ｎｐｎ型のトランジスタを採用している。
【００２９】
スイッチング素子Ｑ１の一方の主端子（本実施形態では、コレクタ端子）は、平滑用のコンデンサＣ１の高電位側に接続されている。スイッチング素子Ｑ１の他方の主端子（本実施形態では、エミッタ端子）は、インダクタＬ１の一端に接続されている。インダクタＬ１の他端は、コンデンサＣ２の高電位側に接続されている。コンデンサＣ２の低電位側は、平滑用のコンデンサＣ１の低電位側に接続されている。また、コンデンサＣ２の低電位側は、ダイオードＤ１のアノード側に接続されている。ダイオードＤ１のカソード側は、スイッチング素子Ｑ１のエミッタ端子とインダクタＬ１の一端との接続点に接続されている。
【００３０】
スイッチング素子Ｑ１の制御端子（本実施形態では、ベース端子）は、駆動回路８に接続されている。
【００３１】
コンデンサＣ２の高電位側は、点灯装置２の出力端子２ｃに接続されている。また、コンデンサＣ２の低電位側は、抵抗Ｒ１を介して点灯装置２の出力端子２ｄに接続されている。
【００３２】
制御部３は、例えば、マイクロコンピュータに適宜のプログラムを搭載することにより構成することができる。
【００３３】
制御部３は、抵抗Ｒ１と点灯装置２の出力端子２ｄとの接続点に接続されている。これにより、制御部３は、抵抗Ｒ１の両端電圧を検知することが可能となる。
【００３４】
また、制御部３は、駆動回路８に接続されており、駆動回路８を制御するための制御信号を出力する。要するに、制御部３は、点灯装置２を制御するための制御信号を出力する。
【００３５】
駆動回路８は、制御部３からの制御信号に従って、スイッチング素子Ｑ１をオンオフする。本実施形態では、制御信号として、例えば、ＰＷＭ信号を用いている。
【００３６】
以下、本実施形態の照明装置１０における降圧チョッパ回路６の動作について、簡単に説明するが、上記スイッチにより商用電源ＡＣから点灯装置２に給電されているものとして説明する。
【００３７】
降圧チョッパ回路６は、スイッチング素子Ｑ１がオフ状態からオン状態になると、スイッチング素子Ｑ１のコレクタ・エミッタ間に流れる電流がインダクタＬ１を介してコンデンサＣ２に流れ、コンデンサＣ２が充電される。インダクタＬ１は、スイッチング素子Ｑ１がオン状態のとき、インダクタＬ１に流れる電流が経過時間に伴って増加し、電磁エネルギーが蓄積される。
【００３８】
また、降圧チョッパ回路６は、スイッチング素子Ｑ１がオン状態からオフ状態になると、インダクタＬ１に予め蓄積された上記電磁エネルギーが放電され、インダクタＬ１に逆起電圧が発生する。そして、降圧チョッパ回路６は、インダクタＬ１に逆起電圧が発生すると、インダクタＬ１の上記他端、コンデンサＣ２、ダイオードＤ１、インダクタＬ１の上記一端の経路で電流が流れ、コンデンサＣ２が充電される。
【００３９】
本実施形態の照明装置１０では、コンデンサＣ２の両端電圧が各固体発光素子４の順電圧（順方向電圧）の合計電圧以上になると、光源部１が点灯可能となる。
【００４０】
また、制御部３は、光源部１の累積点灯時間Ｔを計時する計時部９と、計時部９により計時された累積点灯時間Ｔに従って基準電圧ＶSを出力する関数回路１１と、誤差増幅器１２とを有している。
【００４１】
計時部９としては、例えば、制御部３として用いられるマイクロコンピュータに内蔵されたカウンタなどを用いればよい。
【００４２】
関数回路１１としては、例えば、制御部３として用いられるマイクロコンピュータに内蔵された演算部などを用いればよい。
【００４３】
関数回路１１は、この関数回路１１のメモリ部（図示せず）に、光源部１の累積点灯時間Ｔと基準電圧ＶSとが対応付けられた第１データテーブル（図２参照）が、予め記憶されている。つまり、本実施形態では、関数回路１１が、図２に示すような第１データテーブルを、関数として有している。
【００４４】
第１データテーブルの基準電圧ＶSは、光源部１の点灯初期において点灯装置２の出力電力が光源部１の定格電力となるように設定されている。なお、図２中のＶS1は、光源部１の点灯初期において点灯装置２の出力電力を光源部１の定格電力にするための電圧を示している。また、本実施形態では、光源部１の定格電力を、各固体発光素子４の順電圧の合計電圧と各固体発光素子４に流れる順電流との積算値からなる電力としてある。
【００４５】
また、第１データテーブルの基準電圧ＶSは、光源部１の累積点灯時間Ｔに従って電圧が徐々に低下するように設定されている。そして、第１データテーブルの基準電圧ＶSは、光源部１の累積点灯時間Ｔが制御部３に予め設定された第１規定時間Ｔ１を経過したときに、一定の電圧ＶS2となるように設定されている。なお、本実施形態では、第１規定時間Ｔ１を、例えば、光源部１に一定の電力（例えば、光源部１の定格電力）を入力した場合において光源部１が寿命に達する時間としてある。
【００４６】
関数回路１１は、上述の第１データテーブルに従って、計時部９により計時された光源部１の累積点灯時間Ｔに対応する基準電圧ＶSを出力する。
【００４７】
誤差増幅器１２の一対の入力端子における一方の入力端子は、抵抗Ｒ１と点灯装置２の出力端子２ｄとの接続点に接続されている。誤差増幅器１２の一対の入力端子における他方の入力端子は、関数回路１１に接続されている。誤差増幅器１２の出力端子は、駆動回路８に接続されている。本実施形態では、誤差増幅器１２の一対の入力端子における一方の入力端子に、抵抗Ｒ１の両端電圧が入力される。また、本実施形態では、誤差増幅器１２の一対の入力端子における他方の入力端子に、関数回路１１からの基準電圧ＶSが入力される。
【００４８】
誤差増幅器１２は、抵抗Ｒ１の両端電圧と、関数回路１１からの基準電圧ＶSとを比較する。また、誤差増幅器１２は、抵抗Ｒ１の両端電圧と関数回路１１からの基準電圧ＶSとの差分からなる上述の制御信号を、駆動回路８へ出力する。なお、誤差増幅器１２は、抵抗Ｒ１の両端電圧と関数回路１１からの基準電圧ＶSとの差分がゼロの場合、制御信号の出力を停止する。
【００４９】
駆動回路８は、誤差増幅器１２から出力された制御信号に従って、抵抗Ｒ１の両端電圧と関数回路１１からの基準電圧ＶSとの差分がゼロとなるように、スイッチング素子Ｑ１をオンオフする。言い換えれば、駆動回路８は、誤差増幅器１２から出力された制御信号に従って、抵抗Ｒ１の両端電圧が関数回路１１からの基準電圧ＶSとなるように、スイッチング素子Ｑ１をオンオフする。具体的に説明すると、駆動回路８は、抵抗Ｒ１の両端電圧が関数回路１１からの基準電圧ＶSよりも小さい場合、スイッチング素子Ｑ１のオン期間が長くなるようにスイッチング素子Ｑ１をオンオフする。また、駆動回路８は、抵抗Ｒ１の両端電圧が関数回路１１からの基準電圧ＶSよりも大きい場合、スイッチング素子Ｑ１のオン期間が短くなるようにスイッチング素子Ｑ１をオンオフする。
【００５０】
したがって、本実施形態の照明装置１０では、制御部３が、上述の第１データテーブルに従って点灯装置２の駆動回路８を制御するので、光源部１の累積点灯時間Ｔに従って点灯装置２の出力電力を減少させることが可能となる。
【００５１】
ところで、本実施形態では、光源部１として、光源部１に常に一定の電力（例えば、光源部１の定格電力）を入力した場合に、例えば、図３中の破線ａに示すような、累積点灯時間Ｔと光束維持率との関係を有しているものを使用している。
【００５２】
本実施形態の照明装置１０では、光源部１の累積点灯時間Ｔに従って点灯装置２の出力電力を減少させるので、光源部１が劣化するのを抑制することが可能となり、光源部１の光束維持率が低下するのを抑制することが可能となる。また、本実施形態の照明装置１０では、光源部１の累積点灯時間Ｔに従って点灯装置２の出力電力を減少させるので、光源部１に常に上記一定の電力を入力する場合に比べて、光源部１の累積点灯時間Ｔが第１規定時間Ｔ１を経過したとき、光源部１の光束維持率が急激に低下するのを抑制することが可能となる。また、本実施形態の照明装置１０では、光源部１が劣化するのを抑制することが可能となるので、図１２に示した構成を有する従来例の照明装置に比べて、光源部１の長寿命化を図ることが可能となる。
【００５３】
また、本実施形態の照明装置１０では、図４に示すような、光源部１の累積点灯時間Ｔと点灯装置２の出力電力Ｐとの関係を満たすように、光源部１の累積点灯時間Ｔに従って点灯装置２の出力電力を減少させてもよい。なお、図４中のＰ１は、光源部１の定格電力を表している。また、図４中のＰ０は、光源部１の定格電力よりも大きな電力を表している。
【００５４】
本実施形態の照明装置１０では、図４に示すように、光源部１の累積点灯時間Ｔに従って点灯装置２の出力電力を減少させると、図３中の実線ｂに示すような、累積点灯時間Ｔと光束維持率との関係が得られる。この照明装置１０では、光源部１に常に上記一定の電力を入力する場合に比べて、光源部１の点灯初期に、光源部１の光束維持率が低下する。しかしながら、上述の照明装置１０では、光源部１の累積点灯時間Ｔに従って点灯装置２の出力電力を減少させるので、光源部１に常に上記一定の電力を入力する場合に比べて、光源部１の累積点灯時間Ｔが第１規定時間Ｔ１を経過したとき、光源部１の光束維持率を高く保つことが可能となる。
【００５５】
また、本実施形態では、固体発光素子４として、ＬＥＤを用いている。このＬＥＤは、樹脂反射板により形成された凹部（図示せず）と、上記凹部内に設けられたＬＥＤチップ（図示せず）および蛍光体含有樹脂層（図示せず）とを備えている。本実施形態の照明装置１０では、光源部１の累積点灯時間Ｔに従って点灯装置２の出力電力を減少させるので、光源部１のＬＥＤにおける上記樹脂反射板や上記蛍光体含有樹脂層が劣化するのを抑制することが可能となる。
【００５６】
なお、本実施形態の照明装置１０では、光源部１のＬＥＤの構成として、樹脂反射板により形成された上記凹部と、上記ＬＥＤチップおよび上記蛍光体含有樹脂とを備えた構成としているが、この構成を特に限定するものではない。また、本実施形態の照明装置１０では、固体発光素子４として、ＬＥＤを用いているが、これに限らず、例えば、有機エレクトロルミネッセンス素子などを用いてもよい。
【００５７】
以上説明した本実施形態の照明装置１０は、少なくとも１個の固体発光素子４を有する光源部１と、光源部１への出力電力により光源部１を点灯可能な点灯装置２と、点灯装置２を制御する制御部３とを備えている。また、本実施形態の照明装置１０では、制御部３が、光源部１の累積点灯時間Ｔに従って点灯装置２の出力電力を減少させるので、光源部１の光束維持率が低下するのを抑制することが可能となる。
【００５８】
（実施形態２）
本実施形態の照明装置１０は、基本構成が実施形態１と略同じであり、図５に示すように、実施形態１の抵抗Ｒ１および誤差増幅器１２を備えていない構成である点などが実施形態１と相違する。なお、本実施形態の照明装置１０では、実施形態１と同様の構成要素には同一の符号を付して説明を適宜省略する。
【００５９】
降圧チョッパ回路６のコンデンサＣ２の低電位側は、点灯装置２の出力端子２ｄに接続されている。
【００６０】
制御部３の関数回路１１は、降圧チョッパ回路６の駆動回路８に接続されている。
【００６１】
関数回路１１は、上記メモリ部に、光源部１の累積点灯時間Ｔと上述の制御信号のデューティ比とが対応付けられた第２データテーブル（図示せず）が、予め記憶されている。
【００６２】
第２データテーブルは、光源部１の累積点灯時間Ｔと制御信号のデューティ比との関係が、例えば、図６に示すような、光源部１の累積点灯時間Ｔと点灯装置２の出力電力Ｐとの関係を満たすように設定されている。具体的に説明すると、第２データテーブルは、図６に示すように、光源部１の点灯初期において点灯装置２の出力電力Ｐが光源部１の定格電力Ｐ１となるように、光源部１の累積点灯時間Ｔと制御信号のデューティ比との関係が設定されている。また、第２データテーブルは、図６に示すように、光源部１の累積点灯時間Ｔに従って点灯装置２の出力電力Ｐが一定の割合で低下するように、光源部１の累積点灯時間Ｔと制御信号のデューティ比との関係が設定されている。さらに、第２データテーブルは、図６に示すように、光源部１の累積点灯時間Ｔが制御部３に予め設定された第１規定時間Ｔ１を経過したとき、点灯装置２の出力電力Ｐが常に一定の電力Ｐ２となるように、光源部１の累積点灯時間Ｔと制御信号のデューティ比との関係が設定されている。
【００６３】
関数回路１１は、上述の第２データテーブルに従って、計時部９により計時された光源部１の累積点灯時間Ｔに対応するデューティ比を有する制御信号を駆動回路８へ出力する。駆動回路８は、関数回路１１から出力された制御信号に従って、スイッチング素子Ｑ１をオンオフする。
【００６４】
したがって、本実施形態の照明装置１０では、制御部３が、上述の第２データテーブルに従って点灯装置２の駆動回路８を制御するので、光源部１の累積点灯時間Ｔに従って点灯装置２の出力電力Ｐを減少させることが可能となる。また、本実施形態の照明装置１０では、制御部３が、上述の第２データテーブルに従って点灯装置２の駆動回路８を制御するので、光源部１の累積点灯時間Ｔが第１規定時間Ｔ１を経過したときに、点灯装置２の出力電力Ｐを一定の電力Ｐ２にすることが可能となる。これにより、本実施形態の照明装置１０では、光源部１の累積点灯時間Ｔが第１規定時間Ｔ１を経過した後に、光源部１の光出力が低下するのを抑制することが可能となる。
【００６５】
本実施形態の照明装置１０では、第２データテーブルにおける光源部１の累積点灯時間Ｔと制御信号のデューティ比との関係を、図６に示すような関係を満たすように設定しているが、この関係に限らず、例えば、図７に示すような関係を満たすように設定してもよい。具体的に説明すると、第２データテーブルは、図７に示すように、光源部１の点灯初期において点灯装置２の出力電力Ｐが光源部１の定格電力Ｐ１よりも大きな電力Ｐ０となるように、光源部１の累積点灯時間Ｔと制御信号のデューティ比との関係を設定してもよい。また、第２データテーブルは、図７に示すように、光源部１の累積点灯時間Ｔに従って点灯装置２の出力電力Ｐが徐々に低下するように、光源部１の累積点灯時間Ｔと制御信号のデューティ比との関係を設定してもよい。さらに、第２データテーブルは、図７に示すように、光源部１の累積点灯時間Ｔが第１規定時間Ｔ１を経過したとき、点灯装置２の出力電力Ｐが常に一定の電力Ｐ２となるように、光源部１の累積点灯時間Ｔと制御信号のデューティ比との関係を設定してもよい。ここにおいて、第２データテーブルは、光源部１の点灯初期において点灯装置２の出力電力Ｐが光源部１の定格電力Ｐ１よりも大きな電力Ｐ０となるように設定しているが、これに限らず、光源部１の点灯初期において点灯装置２の出力電力Ｐが光源部１の定格電力Ｐ１となるように設定してもよい。すなわち、第２データテーブルは、光源部１の点灯初期において点灯装置２の出力電力Ｐが光源部１の定格電力Ｐ１以上となるように、光源部１の累積点灯時間Ｔと制御信号のデューティ比との関係を設定してもよい。
【００６６】
また、本実施形態の照明装置１０では、第２データテーブルにおける光源部１の累積点灯時間Ｔと制御信号のデューティ比との関係を、図６に示すような関係を満たすように設定しているが、この関係に限らず、例えば、図８〜図１１に示すような関係を満たすように設定してもよい。具体的に説明すると、第２データテーブルは、図８に示すように、光源部１の点灯初期において点灯装置２の出力電力Ｐが光源部１の定格電力Ｐ１となるように、光源部１の累積点灯時間Ｔと制御信号のデューティ比との関係を設定してもよい。また、第２データテーブルは、図８に示すように、光源部１の累積点灯時間Ｔに従って点灯装置２の出力電力Ｐが所定の間隔で段階的に低下するように、光源部１の累積点灯時間Ｔと制御信号のデューティ比との関係を設定してもよい。さらに、第２データテーブルは、図８に示すように、光源部１の累積点灯時間Ｔが第１規定時間Ｔ１を経過したとき、点灯装置２の出力電力Ｐが常に一定の電力Ｐ２となるように、光源部１の累積点灯時間Ｔと制御信号のデューティ比との関係を設定してもよい。
【００６７】
また、第２データテーブルは、図９に示すように、光源部１の点灯初期において点灯装置２の出力電力Ｐが光源部１の定格電力Ｐ１となるように、光源部１の累積点灯時間Ｔと制御信号のデューティ比との関係を設定してもよい。また、第２データテーブルは、図９に示すように、光源部１の累積点灯時間Ｔに従って点灯装置２の出力電力Ｐが所定の間隔で段階的に低下するように、光源部１の累積点灯時間Ｔと制御信号のデューティ比との関係を設定してもよい。さらに、第２データテーブルは、図９に示すように、光源部１の累積点灯時間Ｔが第１規定時間Ｔ１を経過したとき、点灯装置２の出力電力Ｐが常に一定の電力Ｐ２となるように、光源部１の累積点灯時間Ｔと制御信号のデューティ比との関係を設定してもよい。また、第２データテーブルは、図９に示すように、光源部１の累積点灯時間Ｔが第１規定時間Ｔ１を経過した後に、制御部３に予め設定された第２規定時間Ｔ２を経過したとき、点灯装置２の出力電力Ｐが一定の電力Ｐ２から所定の電力Ｐ３まで、直ちに低下するように、光源部１の累積点灯時間Ｔと制御信号のデューティ比との関係を設定してもよい。そして、第２データテーブルは、図９に示すように、光源部１の累積点灯時間Ｔが第２規定時間Ｔ２を経過した後に、制御部３に予め設定された第３規定時間Ｔ３を経過したとき、点灯装置２の出力電力Ｐがゼロになるように、光源部１の累積点灯時間Ｔと制御信号のデューティ比との関係を設定してもよい。なお、本実施形態では、第２規定時間Ｔ２を、例えば、光源部１の寿命が近いことを知らせるための時間としてある。また、本実施形態では、第３規定時間Ｔ３を、例えば、光源部１の寿命を知らせるための時間としてある。
【００６８】
本実施形態の照明装置１０では、第２データテーブルにおける光源部１の累積点灯時間Ｔと制御信号のデューティ比との関係を、図９に示すような関係を満たすように設定すると、光源部１の累積点灯時間Ｔが第２規定時間Ｔ２を経過したとき、点灯装置２の出力電力Ｐが一定の電力Ｐ２から所定の電力Ｐ３まで、直ちに低下する。これにより、本実施形態の照明装置１０では、光源部１の光出力が低下するので、人に光源部１の寿命が近いことを知らせることが可能となる。
【００６９】
また、第２データテーブルは、図１０に示すように、光源部１の点灯初期において点灯装置２の出力電力Ｐが光源部１の定格電力Ｐ１となるように、光源部１の累積点灯時間Ｔと制御信号のデューティ比との関係を設定してもよい。また、第２データテーブルは、図１０に示すように、光源部１の累積点灯時間Ｔに従って点灯装置２の出力電力Ｐが所定の間隔で段階的に低下するように、光源部１の累積点灯時間Ｔと制御信号のデューティ比との関係を設定してもよい。さらに、第２データテーブルは、図１０に示すように、光源部１の累積点灯時間Ｔが第１規定時間Ｔ１を経過したとき、点灯装置２の出力電力Ｐが常に一定の電力Ｐ２となるように、光源部１の累積点灯時間Ｔと制御信号のデューティ比との関係を設定してもよい。そして、第２データテーブルは、図１０に示すように、光源部１の累積点灯時間Ｔが制御部３に予め設定された第４規定時間Ｔ４を経過したとき、点灯装置２の出力電力Ｐがゼロになるように、光源部１の累積点灯時間Ｔと制御信号のデューティ比との関係を設定してもよい。なお、本実施形態では、第４規定時間Ｔ４を、例えば、光源部１の寿命を知らせるための時間としてある。また、本実施形態では、第４規定時間Ｔ４を、第３規定時間Ｔ３と異なる時間としているが、同じ時間であってもよい。
【００７０】
本実施形態の照明装置１０では、第２データテーブルにおける光源部１の累積点灯時間Ｔと制御信号のデューティ比との関係を、図１０に示すような関係を満たすように設定すると、光源部１の累積点灯時間Ｔが第４規定時間Ｔ４を経過したとき、点灯装置２の出力電力Ｐがゼロになる。これにより、本実施形態の照明装置１０では、光源部１の光出力が停止するので、人に光源部１の寿命を知らせることが可能となる。
【００７１】
また、第２データテーブルは、図１１に示すように、光源部１の点灯初期において点灯装置２の出力電力Ｐが光源部１の定格電力Ｐ１となるように、光源部１の累積点灯時間Ｔと制御信号のデューティ比との関係を設定してもよい。また、第２データテーブルは、図１１に示すように、光源部１の累積点灯時間Ｔが制御部３に予め設定された第５規定時間Ｔ０を経過したとき、光源部１の累積点灯時間Ｔに従って点灯装置２の出力電力Ｐが一定の割合で低下するように、光源部１の累積点灯時間Ｔと制御信号のデューティ比との関係を設定してもよい。さらに、第２データテーブルは、図１１に示すように、光源部１の累積点灯時間Ｔが第１規定時間Ｔ１を経過したとき、点灯装置２の出力電力Ｐが常に一定の電力Ｐ２となるように、光源部１の累積点灯時間Ｔと制御信号のデューティ比との関係を設定してもよい。なお、本実施形態では、第５規定時間Ｔ０を、例えば、照明装置１０の施工が完了する時間としてある。
【００７２】
本実施形態の照明装置１０では、第２データテーブルにおける光源部１の累積点灯時間Ｔと制御信号のデューティ比との関係を、図１１に示すような関係を満たすように設定すると、光源部１の累積点灯時間Ｔが第５規定時間Ｔ０を経過したときに、光源部１の累積点灯時間Ｔに従って点灯装置２の出力電力Ｐが一定の割合で低下する。これにより、本実施形態の照明装置１０では、照明装置１０の施工後に、点灯装置２の出力電力Ｐを減少させることが可能となる。
【００７３】
以上説明した本実施形態の照明装置１０は、少なくとも１個の固体発光素子４を有する光源部１と、光源部１への出力電力により光源部１を点灯可能な点灯装置２と、点灯装置２を制御する制御部３とを備えている。また、本実施形態の照明装置１０では、制御部３が、光源部１の累積点灯時間Ｔに従って点灯装置２の出力電力を減少させるので、光源部１の光束維持率が低下するのを抑制することが可能となる。
【００７４】
また、本実施形態の照明装置１０では、制御部３が、光源部１の累積点灯時間Ｔが予め設定された第１規定時間Ｔ１を経過したとき、点灯装置２の出力電力Ｐが一定の電力Ｐ２となるように点灯装置２を制御する。これにより、本実施形態の照明装置１０では、光源部１の累積点灯時間Ｔが第１規定時間Ｔ１を経過した後に、光源部１の光出力が低下するのを抑制することが可能となる。
【００７５】
また、本実施形態の照明装置１０では、制御部３が、光源部１の累積点灯時間Ｔが第１規定時間Ｔ１を経過した後に、光源部１の累積点灯時間Ｔが予め設定された第２規定時間Ｔ２を経過したとき、点灯装置２の出力電力Ｐが一定の電力Ｐ２から所定の電力Ｐ３まで、直ちに低下するように点灯装置２を制御する。これにより、本実施形態の照明装置１０では、光源部１の光出力が低下するので、人に光源部１の寿命が近いことを知らせることが可能となる。
【符号の説明】
【００７６】
１  光源部
２  点灯装置
３  制御部
４  固体発光素子
１０  照明装置
【図１】
2014078419.tif 000003
【図２】
2014078419.tif 000004
【図３】
2014078419.tif 000005
【図４】
2014078419.tif 000006
【図５】
2014078419.tif 000007
【図６】
2014078419.tif 000008
【図７】
2014078419.tif 000009
【図８】
2014078419.tif 000010
【図９】
2014078419.tif 000011
【図１０】
2014078419.tif 000012
【図１１】
2014078419.tif 000013
【図１２】
2014078419.tif 000014